(57)【特許請求の範囲】
【請求項１】
複数の波形信号を入力し、表示する波形測定器において、
複数の波形信号を垂直軸方向で分割した表示領域毎に表示すると共に、特定の表示領域の垂直軸を拡大し、この特定の表示領域の波形信号を垂直軸方向に拡大して表示すると共に、特定以外の表示領域の垂直軸を縮小し、特定以外の表示領域の波形信号を垂直軸方向に縮小して表示する表示手段を有することを特徴とする波形測定器。
【請求項２】
複数の波形信号を入力し、表示する波形測定器において、
複数の波形信号を入力し、ディジタル値に変換する測定手段と、
この測定手段からのディジタル値を格納する記憶部と、
この記憶部から複数の波形信号のディジタル値を読み込み、複数の波形信号を垂直軸方向で分割した表示領域毎に表示すると共に、特定の表示領域の垂直軸を拡大し、この特定の表示領域の波形信号を垂直軸方向に拡大して表示すると共に、特定以外の表示領域の垂直軸を縮小し、特定以外の表示領域の波形信号を垂直軸方向に縮小して表示する表示手段と、
この表示手段の垂直軸を拡大する表示領域を特定する選択手段と
を有することを特徴とする波形測定器。
【請求項３】
選択手段を順次表示領域を特定するロータリエンコーダにしたことを特徴とする請求項２記載の波形測定器。
【発明の詳細な説明】
【０００１】
【発明の属する技術分野】
本発明は、複数の波形信号を入力し、表示する波形測定器に関し、波形の表示が見やすく、特定の波形を容易に拡大表示できる波形測定器に関するものである。
【０００２】
【従来の技術】
ディジタルオシロスコープやアナライジングレコーダ等の波形測定器は、複数の波形信号を入力し、この波形信号の表示を行っていた。この複数の波形信号の表示の方法には、表示領域を信号毎に分割して表示する方法と、同じ表示領域に重ね書きして表示する方法とがある。
【０００３】
図４は、表示領域を信号毎に分割して表示した例を示した図で、波形の表示領域Ｄ１〜Ｄ４には、それぞれ異なる波形信号ａ〜ｄが表示される。
【０００４】
図５は、同じ波形表示領域に重ね書きして表示した例を示した図で、波形の表示領域Ｄａには、異なる波形信号ａ〜ｄが重ねて表示される。
【０００５】
【発明が解決しようとする課題】
表示領域を信号毎に分割して表示する方法では、すべての波形が均等な大きさで表示されるため、注目した波形信号を大きくすることができなかった。
【０００６】
また、同じ表示領域に重ね書きする方法では、波形の表示が重なって表示されるので、見にくい。波形毎に垂直表示位置を調整し、波形を垂直軸方向に拡大縮小が行えるが、操作が複雑で、手間がかかった。
【０００７】
そこで、本発明の目的は、波形の表示が見やすく、特定の波形を容易に拡大表示できる波形測定器を実現することにある。
【０００８】
【課題を解決するための手段】
本発明は、
複数の波形信号を入力し、表示する波形測定器において、
複数の波形信号を垂直軸方向で分割した表示領域毎に表示すると共に、特定の表示領域の垂直軸を拡大し、この特定の表示領域の波形信号を垂直軸方向に拡大して表示すると共に、特定以外の表示領域の垂直軸を縮小し、特定以外の表示領域の波形信号を垂直軸方向に縮小して表示する表示手段を有することを特徴とするものである。
【０００９】
このような本発明では、表示手段が、入力した複数の波形信号を分割した表示領域毎に表示する。そして、表示手段は、特定の表示領域の垂直軸を拡大し、この特定の表示領域の波形信号を垂直軸方向に拡大して表示する。
【００１０】
【発明の実施の形態】
以下図面を用いて本発明を説明する。
図１は本発明の一実施例を示した構成図である。
図２は図１の装置の外観図である。
【００１１】
図において、波形測定器１は、測定対象を測定し、複数の波形信号ａ〜ｄを表示する。そして、波形測定器１は、測定手段１１と記憶部１２と表示手段１３とロータリエンコーダ１４と表示器Ｄとからなる。
【００１２】
測定手段１１は、測定対象から複数の波形信号ａ〜ｄを入力し、ディジタル値に変換する。記憶部１２は、測定手段１１からのディジタル値を格納する。表示手段１３は、記憶部１２から複数の波形信号ａ〜ｄのディジタル値を読み込み、複数の波形信号ａ〜ｄを垂直軸方向で分割した表示領域Ｄ１〜Ｄ４毎に表示すると共に、特定の表示領域の垂直軸を拡大し、この特定の表示領域の波形信号を垂直軸方向に拡大して、表示器Ｄに表示する。ロータリエンコーダ１４は選択手段で、表示手段１３の垂直軸を拡大する表示領域を特定する。
【００１３】
このような装置の動作を以下で説明する。
最初の状態（図２の状態）のとき、表示領域Ｄ１が垂直軸方向に広い波形領域を持ち、表示領域Ｄ２〜Ｄ４は狭い表示領域を持っている。このとき、波形信号aも表示領域Ｄ１に対応して垂直軸が拡大して表示されている。
【００１４】
そして、ロータリエンコーダ１４を操作し、表示領域Ｄ２が垂直軸方向が広い波形領域にし、表示領域Ｄ１，Ｄ３〜Ｄ４を狭い表示領域にする。つまり、図３の状態にする。このとき、波形信号ａは、波形領域Ｄ１に対応して、垂直軸方向が縮小され、波形信号ｂは、波形領域Ｄ２に対応して、垂直軸方向が拡大されて表示される。
【００１５】
同様に、ロータリエンコーダ１４を操作することにより、垂直軸方向が広い波形領域が、Ｄ１→Ｄ２→Ｄ３→Ｄ４→Ｄ１と変わる。これに伴って、波形信号も、ａ→ｂ→ｃ→ｄ→ａと垂直軸方向が拡大表示される。
【００１６】
また、ロータリエンコーダ１４を逆方向に操作することにより、垂直軸方向が広い波形領域が、Ｄ１→Ｄ４→Ｄ３→Ｄ２→Ｄ１と変わる。これに伴って、波形信号も、ａ→ｄ→ｃ→ｂ→ａと垂直軸方向が拡大表示される。
【００１７】
このように、表示手段１３が、ロータリエンコーダ１４により特定された表示領域の垂直軸を拡大表示し、この特定された表示領域の波形信号も同様に拡大表示するので、波形の表示が見やすく、特定の波形を容易に拡大表示できる。
【００１８】
また、ロータリエンコーダ１４により、順次表示領域を変更しているので、容易に拡大する表示領域（波形信号）を変えることができる。
【００１９】
なお、本発明はこれに限定されるものではなく、選択手段がロータリエンコーダ１４の場合を示したが、マウス等でもよい。
【００２０】
【発明の効果】
本発明によれば、以下のような効果がある。
請求項１，２によれば、表示手段が、選択手段により特定された表示領域の垂直軸を拡大表示し、この特定された表示領域の波形信号も同様に拡大表示するので、波形の表示が見やすく、特定の波形を容易に拡大表示できる。
【００２１】
請求項３によれば、選択手段をロータリエンコーダにしたことにより、順次表示領域を変更できるので、容易に拡大する表示領域（波形信号）を変えることができる。
【図面の簡単な説明】
【図１】本発明の一実施例を示した構成図である。
【図２】図１の装置の外観図である。
【図３】図１の装置の外観図である。
【図４】表示領域を信号毎に分割して表示した例を示した図である。
【図５】同じ波形表示領域に重ね書きして表示した例を示した図である。
【符号の説明】
１１  測定手段
１２  記憶部
１３  表示手段
１４  ロータリエンコーダ
【図１】
0003539616.tif 000002
【図２】
0003539616.tif 000003
【図３】
0003539616.tif 000004
【図４】
0003539616.tif 000005
【図５】
0003539616.tif 000006